(57)【要約】【課題】  着座者の体格に応じて背凭れ部を前後に移動して座部の実質的な奥行幅を調節することが可能であり、どのような体格の着座者においても背中の最適な高さ位置を支持し、また腰部を安定に保持することが可能な椅子を提供する。【解決手段】  脚部１に支持された座部２と、座部の後部に設けた背凭れ部３とを備え、座部又は背凭れ部を前後方向へ移動して座部の実質的な奥行幅を調節可能となした椅子であって、背凭れ部は、座部の両側から立ち上がった両背凭れ杆６，６の上端部に背支持部材７を固定するとともに、背支持部材の下方に間隔を置いて腰支持部材８を配し、腰支持部材の両側部を両背凭れ杆の中間部に上下移動可能に支持して設け、腰支持部材の下端が常に座部の上面に接触するように付勢した。【選択図】        図１
2009273585.tif 000002
【特許請求の範囲】
【請求項１】
脚部に支持された座部と、該座部の後部に設けた背凭れ部とを備え、前記座部又は背凭れ部を前後方向へ移動して前記座部の実質的な奥行幅を調節可能となした椅子であって、前記背凭れ部は、前記座部の両側から立ち上がった両背凭れ杆の上端部に背支持部材を固定するとともに、該背支持部材の下方に間隔を置いて腰支持部材を配し、該腰支持部材の両側部を両背凭れ杆の中間部に上下移動可能に支持して設け、前記腰支持部材の下端が常に前記座部の上面に接触するように付勢したことを特徴とする椅子。
【請求項２】
前記両背凭れ杆の中間部に、前記腰支持部材の両側部に設けた円筒状の支持部を上下スライド可能に外嵌するとともに、前記腰支持部材を下方へ弾性付勢してなる請求項１記載の椅子。
【請求項３】
前記腰支持部材の支持部の上端と前記背凭れ杆に対する固定部との間に圧縮コイルばねを巻装し、前記腰支持部材を下方へ弾性付勢して下端が常に前記座部の上面に接触するようにした請求項２記載の椅子。
【請求項４】
前記腰支持部材の支持部と圧縮コイルばねを、前記背凭れ杆に対して移動不能に外挿した下部カバー体に内蔵し、該下部カバー体に形成した縦方向のスリットに前記支持部を腰支持部材に連結する連結板を挿通するとともに、前記支持部の上端と下部カバー体の上部内に設けた段部との間に前記圧縮コイルばねを介装してなる請求項３記載の椅子。
【請求項５】
前記背支持部材と腰支持部材は、両側端部が前方へ張り出した平面視円弧状の受面を有するとともに、前記腰支持部材と座部との接触部分において少なくとも腰支持部材の下端部に摺動性の良い表装材若しくは摺動部材を配してなる請求項１〜４何れかに記載の椅子。
【請求項６】
前記座部は、前記脚部に取付けた支持体の上部に座板を支持し、前記支持体は前記脚部に支持されたベース部材と、該ベース部材の上位に配し、後部を該ベース部材の後部に上下傾動可能に枢支した傾動部材と、前記ベース部材と傾動部材の前部間に連係して設け、前記傾動部材の傾斜角度を調節する角度調節手段とをからなり、前記ベース部材にガイド手段を設け、前記傾斜部材に支持した座板の前後傾斜角度を調節可能としてなる請求項１〜５何れかに記載の椅子。
【発明の詳細な説明】
【技術分野】
【０００１】
本発明は、椅子に係わり、更に詳しくは着座者の体格に応じて座部又は背凭れ部を前後方向に移動して座部の実質的な奥行幅を調節することが可能な椅子に関するものである。
【背景技術】
【０００２】
従来から着座者の体格に応じて座部の実質的な奥行幅を調節することが可能な椅子は提供されている。特許文献１には、座部の後方に背凭れ部を立設し、座板を前後移動可能となして該座板の実質的な奥行幅を調節できる椅子として、前記座部を座受体に前後スライド可能に取付けた座板で構成し、該座板の少なくとも後部を横設した複数の構成杆を互いに屈曲可能に連結したシャッター構造部となし、座板の後方移動に伴って該シャッター構造部が背凭れ部に沿って上方へ案内されることを特徴とするスライド座板付き椅子が記載されている。
【０００３】
確かに、特許文献１に記載の椅子は座板を前後に移動することにより、座部の実質的な奥行幅を調節することができる。しかし、体格が異なれば背中を支持する最適な高さ位置も変わるが、背凭れ部の高さが常に一定の高さに固定されているので、そのような調節機能はない。また、体格の小さな子供に合わせて座板を後方へ移動させたときに、座板の後部のシャッター構造部が上方へ立ち上がって腰部を当止できるようになるが、平面的な支持になるので左右振れに対して保持する機能はない。
【０００４】
その不都合を改善するために、特許文献２には、使用者の身体の成長に合わせて背凭れの前後位置と高さとを同時に調節できる児童用椅子として、脚で高さ調節自在及び水平回転自在に支持された座板と、座板の下方に前後方向に延びるように設けたガイド手段によって前後移動自在に支持された背凭れとを備えており、前記ガイド手段を、手前側が低く後部が高くなるように側面視で傾斜させることにより、背凭れが後退動しつつ上昇するように設定されており、更に、前記ガイド手段には、背凭れを前後動させ得るロック解除状態と前後動不能に保持するロック状態とに切り換えるレバー等の操作手段が設けられている、椅子が記載されている。
【０００５】
特許文献２に記載の椅子は、座部に対して背凭れを前方へ移動するにつれて背凭れ部が下がる機構であり、着座者の体格に応じて背凭れ部を略最適な高さに調節することが可能である。しかし、座部と背凭れ部との間には該背凭れ部の上下変位を許容するために比較的大きな間隔を設けているため、着座者の腰部を支持する構造にはなっておらず、つまり体格の小さな子供が着座した際に、腰部を安定に支持するとともに、左右振れに対して保持する機能はない。
【特許文献１】特開平０７−１６３４３８号公報
【特許文献２】特開２００２−２６２９５３号公報
【発明の開示】
【発明が解決しようとする課題】
【０００６】
そこで、本発明が前述の状況に鑑み、解決しようとするところは、着座者の体格に応じて背凭れ部を前後に移動して座部の実質的な奥行幅を調節することが可能であり、どのような体格の着座者においても背中の最適な高さ位置を支持し、また腰部を安定に保持することが可能な椅子を提供する点にある。
【課題を解決するための手段】
【０００７】
本発明は、前述の課題解決のために、脚部に支持された座部と、該座部の後部に設けた背凭れ部とを備え、前記座部又は背凭れ部を前後方向へ移動して前記座部の実質的な奥行幅を調節可能となした椅子であって、前記背凭れ部は、前記座部の両側から立ち上がった両背凭れ杆の上端部に背支持部材を固定するとともに、該背支持部材の下方に間隔を置いて腰支持部材を配し、該腰支持部材の両側部を両背凭れ杆の中間部に上下移動可能に支持して設け、前記腰支持部材の下端が常に前記座部の上面に接触するように付勢したことを特徴とする椅子を構成した（請求項１）。
【０００８】
ここで、前記両背凭れ杆の中間部に、前記腰支持部材の両側部に設けた円筒状の支持部を上下スライド可能に外嵌するとともに、前記腰支持部材を下方へ弾性付勢してなることが好ましい（請求項２）。
【０００９】
具体的には、前記腰支持部材の支持部の上端と前記背凭れ杆に対する固定部との間に圧縮コイルばねを巻装し、前記腰支持部材を下方へ弾性付勢して下端が常に前記座部の上面に接触するようにした（請求項３）。
【００１０】
より具体的には、前記腰支持部材の支持部と圧縮コイルばねを、前記背凭れ杆に対して移動不能に外挿した下部カバー体に内蔵し、該下部カバー体に形成した縦方向のスリットに前記支持部を腰支持部材に連結する連結板を挿通するとともに、前記支持部の上端と下部カバー体の上部内に設けた段部との間に前記圧縮コイルばねを介装してなることが好ましい（請求項４）。
【００１１】
そして、前記背支持部材と腰支持部材は、両側端部が前方へ張り出した平面視円弧状の受面を有するとともに、前記腰支持部材と座部との接触部分において少なくとも腰支持部材の下端部に摺動性の良い表装材若しくは摺動部材を配してなることがより好ましい（請求項５）。
【００１２】
また、前記座部は、前記脚部に取付けた支持体の上部に座板を支持し、前記支持体は前記脚部に支持されたベース部材と、該ベース部材の上位に配し、後部を該ベース部材の後部に上下傾動可能に枢支した傾動部材と、前記ベース部材と傾動部材の前部間に連係して設け、前記傾動部材の傾斜角度を調節する角度調節手段とをからなり、前記ベース部材にガイド手段を設け、前記傾斜部材に支持した座板の前後傾斜角度を調節可能としてなると本発明の効果が顕著である（請求項６）。
【発明の効果】
【００１３】
以上にしてなる請求項１に係る発明の椅子は、背凭れ部は、座部の両側から立ち上がった両背凭れ杆の上端部に背支持部材を固定するとともに、該背支持部材の下方に間隔を置いて腰支持部材を配し、該腰支持部材の両側部を両背凭れ杆の中間部に上下移動可能に支持して設け、前記腰支持部材の下端が常に前記座部の上面に接触するように付勢したので、背凭れ部を座部に対して前後方向へ移動させ、あるいは座部を背凭れ部に対して前後方向へ移動させた場合でも、つまり着座者の体格に応じて座部と背凭れ部の前後位置を変えた場合でも、常に腰支持部材により着座者の腰部を安定に保持することができる。また、前記背凭れ部を前方へ移動させる機構として、前方に移動するにつれて高さが低くなる機構とした場合でも、あるいは座部の角度が水平でない場合でも、腰支持部材の下端が常に前記座部の上面に接触するので、着座者の腰部を安定に保持することができる。そして、前記腰支持部材は、立ち上がった両背凭れ杆に両側部を上下移動可能に支持したので、該腰支持部材の自重若しくは弾性体による下方への付勢によって、腰支持部材の位置が追随してその下端が常に前記座部の上面に接触するので、背凭れ部がどのような状態でも着座者の腰部に腰支持部材が位置するのである。
【００１４】
請求項２によれば、前記両背凭れ杆の中間部に、前記腰支持部材の両側部に設けた円筒状の支持部を上下スライド可能に外嵌したので、背凭れ杆に対する腰支持部材の支持が確実であるとともに、腰支持部材をスムーズに上下スライドさせることができ、また前記腰支持部材を下方へ弾性付勢すれば、該腰支持部材の下端が座部の上面に常に接触した状態を維持し、不意に腰支持部材が持ち上がったり、椅子を搬送中に腰支持部材がガタついたりすることがないのである。
【００１５】
請求項３によれば、前記腰支持部材の支持部の上端と前記背凭れ杆に対する固定部との間に圧縮コイルばねを巻装し、前記腰支持部材を下方へ弾性付勢して下端が常に前記座部の上面に接触するようにしたので、腰支持部材を確実に下方へ弾性付勢することができ、また弾性付勢機構をコンパクトに構成できる。
【００１６】
請求項４によれば、前記腰支持部材の支持部と圧縮コイルばねを、前記背凭れ杆に対して移動不能に外挿した下部カバー体に内蔵し、該下部カバー体に形成した縦方向のスリットに前記支持部を腰支持部材に連結する連結板を挿通するとともに、前記支持部の上端と下部カバー体の上部内に設けた段部との間に前記圧縮コイルばねを介装してなるので、外観性に優れるとともに、摺動部が隠れるので安全である。
【００１７】
請求項５によれば、前記背支持部材と腰支持部材は、両側端部が前方へ張り出した平面視円弧状の受面を有するので、着座者の背中と腰部を包み込むように保持することができ、特に体格が小さな子供でも左右振れに対して安定に保持することができる。更に、前記腰支持部材と座部との接触部分において少なくとも腰支持部材の下端部に摺動性の良い表装材若しくは摺動部材を配することにより、座部に対して腰支持部材がスムーズに摺動することができる。
【００１８】
請求項６によれば、座部の前部を下げることにより、着座者の腿裏に対する圧迫が少なくなり、快適な座り心地を実現できる椅子において、座部の上面の角度が変化する場合でも、また背凭れ部の前後位置が変化する場合でも、腰支持部材の下端が常に座部の上面に接触した状態を維持することができ、常に所望の座り心地を実現することができるのである。
【発明を実施するための最良の形態】
【００１９】
次に、添付図面に示した実施形態に基づき、本発明を更に詳細に説明する。図１は本発明に係る椅子を示し、図２は座部の傾斜角度を調節する様子を示した椅子の側面図、図３は背凭れ部の前後位置を調節する様子を示した椅子の側面図を示し、図４〜図９は本発明の要部を示し、図中符号１は脚部、２は座部、３は背凭れ部、４はガイド手段、５は移動フレーム、６は背凭れ杆、７は背支持部材、８は腰支持部材をそれぞれ示している。
【００２０】
本発明に係る椅子は、脚部１に支持された座部２と、該座部２の下方に前後方向に延び、手前側が低く後部が高くなるように側面視で傾斜させて設けたガイド手段４と、該ガイド手段４に沿って移動可能に設けた移動フレーム５と、該移動フレーム５に下端を固定した背凭れ部３とを備え、前記座部２に対して背凭れ部３を前後方向へ移動調節可能となした基本構造を有している。尚、本発明では、前記背凭れ部３が前後方向に移動する以外に、前記座部２が前後方向に移動する場合にも同様に適用することができ、また背凭れ部３が移動する場合に、本実施形態のようにガイド手段４が傾斜している構造以外にも、ガイド手段４が水平であり、背凭れ部３が水平移動する場合にも適用することが可能である。
【００２１】
そして、本発明は、このような椅子において、前記背凭れ部３は、前記座部２の両側から立ち上がった両背凭れ杆６，６の上端部に背支持部材７を固定するとともに、該背支持部材７の下方に間隔を置いて腰支持部材８を配し、該腰支持部材８の両側部を両背凭れ杆６，６の中間部に上下移動可能に支持して設け、前記腰支持部材８の下端が常に前記座部２の上面に接触するように付勢したのである。ここで、前記腰支持部材８を下方へ付勢する手段として、該腰支持部材８の自重によるもの、あるいは弾性体による弾性付勢がある。
【００２２】
更に詳しくは、図２に示すように、前記座部２は、前記脚部１に取付けた支持体９の上部に座板１０を支持し、前記支持体９は前記脚部１に支持されたベース部材１１と、該ベース部材１１の上位に配し、後部を該ベース部材１１の後部に上下傾動可能に枢支した傾動部材１２と、前記ベース部材１１と傾動部材１２の前部間に連係して設け、前記傾動部材１２の傾斜角度を調節する角度調節手段１３とをからなり、前記ベース部材１１にガイド手段４を設け、前記傾斜部材１２に支持した座板１０の前後傾斜角度を調節可能とした構造である。図中符号１４は、前記ベース部材１１と傾動部材１２の枢支部であり、該枢支部１４を支点として前記傾動部材１２の前部が上下に傾動するのである。
【００２３】
前記腰支持部材８は、両側端部の背面側に固定した連結板１５の端部に、円筒状の支持部１６を一体的に設け、該支持部１６の内部に円筒状のスリーブ１７を内嵌し、該スリーブ１７を前記背凭れ杆６に上下スライド可能に外嵌する。ここで、本実施形態では、前記連結板１５と支持部１６は、一枚のスチール板から成形し、四角形のスチール板の一端部をロール状に巻いて円筒状に成形し、外周の接合部を溶接し、平面部を連結板１５、円筒部を支持部１６としたものである。前記スリーブ１７は滑り性の良い合成樹脂の成形品であり、長手方向に所定幅のスリット溝１８を形成するとともに、上下端部外周に鍔部１９，１９を環状に突設し、更に上端の鍔部１９より上方に円筒状の係合部２０を突設している。
【００２４】
そして、前記スリーブ１７を押し縮めて直径を小さくした状態で、前記支持部１６の内部に嵌挿し、弾性復元によって該支持部１６の内面に密着するとともに、上下の鍔部１９，１９を支持部１６の上下端縁の外側に係合して抜止めされる。また、前記スリーブ１７の上端部の係合部２０には、圧縮コイルばね２１の下端部が嵌合保持される。原理的には、前記スリーブ１７を介して支持部１６を前記背凭れ杆６に上下スライド可能に外挿するとともに、その上方から圧縮コイルばね２１を巻装し、該圧縮コイルばね２１の下端を前記係合部２０に係合し、上端を背凭れ杆６に対して不動の固定部に係止することにより、前記腰支持部材８を下方へ弾性付勢し、該腰支持部材８の下端が常に前記座部２の上面に接触するようにできる。
【００２５】
本実施形態では、前記支持部１６及び圧縮コイルばね２１が露出しないように、合成樹脂製のカバーで覆っている。つまり、前記背凭れ杆６は丸パイプ状の金属製であり、前記移動フレーム５から湾曲して立ち上がった部分に蛇腹カバー体２２を外装するとともに、その上部に直線状に立ち上がった部分に下部カバー体２４と上部カバー体２４を外装している。前記支持部１６及び圧縮コイルばね２１は、前記下部カバー体２３に内蔵されている。ここで、両側の前記背凭れ杆６，６の上部直線部分は、後方へやや傾斜した状態で平行に立ち上がっている。尚、前記蛇腹カバー体２２は、図１以外では本質的でないので省略している。
【００２６】
更に詳しくは、図４及び図５に示すように、前記下部カバー体２３は、円筒状にブロー成形したものであり、下端部に縮径した環状のフランジ部２５を形成するとともに、上部に縮径した円筒部２６を形成し、その中間部を前記支持部１６と圧縮コイルばね２１を遊挿するカバー部２７としている。前記フランジ部２５と円筒部２６は、前記背凭れ杆６に密嵌する内径に設定し、前記カバー部２７の内側の縦方向に沿ってスリット２８を形成している。前記円筒部２６とカバー部２７の境界の内部には、前記圧縮コイルばね２１の上端を当止する段部２９を有している。
【００２７】
そして、図５に示すように、前記腰支持部材８の両側部に固定した支持部１６の上端の係合部２０に圧縮コイルばね２１の下端を嵌合し且つ押し縮めた状態で、前記下部カバー体２３のスリット２８を拡開して、前記支持部１６と圧縮コイルばね２１をカバー部２７の内部に押し込み、それから力を解放すると、圧縮コイルばね２１の上端は前記段部２９に当止し、またスリット２８は元の形状に復元して該スリット２８に前記連結板１５が遊挿した状態となる（図６参照）。この状態で、前記腰支持部材８の両側部の支持部１６，１５と下部カバー体２３，２３を前記両背凭れ杆６，６の上端から外挿し、所定位置で前記円筒部２６を該背凭れ杆６にネジ止めする。ここで、前記円筒部２６のネジ止めは、前記背支持部材７を前記背凭れ杆６の上端部にネジ止めするためのネジ３０で兼用している。
【００２８】
また、前記上部カバー体２４は、合成樹脂製の成形品であり、前記背凭れ杆６の上端部に側方から外嵌して取付けるが、一側面を開放した断面略Ｕ字形を有し、下方は開放し、上部は背凭れ杆６の上端を隠蔽するように閉塞部３１を形成するとともに、内部に前記背凭れ杆６を両側から弾性的に保持できるように弾性係合片３２，３２を形成し、更に上下移動を規制するために、内部の底部に上下にダボ３３，３３を突設し、前記背凭れ杆６の上端部外側面に形成した係合孔３４，３４に係合するようになっている。
【００２９】
そして、前記背支持部材７は、図８に示すように、両側端部が前方へ張り出した平面視円弧状の受面３５を有している。詳しくは、前記背支持部材７は、円弧状に湾曲した木製の芯材３６の前面側に所定形状に成形したクッション体３７を装着するとともに、両側端部の裏面に、平面視く字状の連結金具３８，３８の一片をネジ止め固定し、他片の取付片３９を端面に位置させ、全体を図示しないクロス等の表装材で覆った構造である。ここで、両側の前記連結金具３８，３８の取付片３９，３９は平行に設定している。そして、両背凭れ杆６，６の上端部間に前記背支持部材７を配し、該背凭れ杆６の上端部の上下に内外に貫通して形成した取付孔４０，４０に外側からネジ３０，３０を挿通し、前記連結金具３８の取付片３９に螺合して取付ける。この際、下方の取付孔４０の位置に被るように前記下部カバー体２３の円筒部２６を設定し、該円筒部２６の内側に通孔４１を形成し、外側に縦長の長孔４２を形成してあり、下方のネジ３０は長孔４２内に位置する取付孔４０に挿通するとともに、前記通孔４１にも挿通し、前記取付片３９に螺合するのである。そして、前記背支持部材７を背凭れ杆６，６に取付けた後、該背凭れ杆６の上端部に前記上部カバー体２４をそれぞれ側方から外嵌し、両弾性係合片３２，３２で背凭れ杆６を抜止め状態で弾性的に挟持するとともに、前記長孔４２内の下部に臨んだ係合孔３４と上部の係合孔３４にダボ３３，３３を係合して外装する。この状態で、前記下部カバー体２３の円筒部２６は、上部カバー体２４で覆われる。
【００３０】
また、前記腰支持部材８は、図９に示すように、前記背支持部材７と同様に両側端部が前方へ張り出した平面視円弧状の受面４３を有している。詳しくは、前記腰支持部材８は、円弧状に湾曲した木製の芯材４４の前面側に所定形状に成形したクッション体４５を装着するとともに、両側端部の裏面に前記連結板１５をネジ止め固定し、全体を図示しないクロス等の表装材で覆った構造である。
【００３１】
このように、両側の背凭れ杆６，６に前記背支持部材７と腰支持部材８を装着した状態で、前記腰支持部材８の下端は前記座部２の座板１０の上面に接触している。前記座板１０の上面は、座り心地を良くするために中央部が凹んだ立体形状をしているが、前記腰支持部材８の下端もそれに応じた形状に設定している。そして、前記背凭れ部３は、図２及び図６の状態から前記ガイド手段４に沿って移動フレーム５を前方へ移動させると、図３及び図７に示すように、該ガイド手段４の傾斜に沿って背凭れ部３が前方下方へ変位する。その際、前記腰支持部材８は、下端が座板１０の上面を摺動しながら背凭れ杆６，６に対して圧縮コイルばね２１の弾性力に抗して相対的に上昇する。前記腰支持部材８は、下方へ弾性付勢されているので、常に下端が座板１０の上面に接触した状態を維持している。尚、前記背凭れ部３を前後に調節する際に、前記腰支持部材８の下端は、座板１０に対して摺動するので、その動作をスムーズに行うために、少なくとも腰支持部材８の下端の接触部に摺動性の高い素材の表装材が位置するようにすることが望ましい。前記座板１０と腰支持部材８の表装材がソフトレザーの場合は摺動性が比較的良好であるが、クロスの場合には摺動性が悪いので、少なくとも前記腰支持部材８の下端部の接触部分にソフトレザーを貼ることにより摺動性を改善することができる。また、前記腰支持部材８の下端部に合成樹脂製の摺動部材を設けることも好ましい。
【００３２】
また、図２に示すように、本実施形態の椅子は、前記角度調節手段１３を操作して前記座部２の傾斜角度を調節することができる。その際に、前記腰支持部材８の下端に接触している前記座板１０の位置が上下に変位するが、その場合にも前記腰支持部材８は背凭れ杆６，６に対して上下スライド可能であるので、その変位に応じて上下にスライド移動するのである。また、前記背支持部材７と腰支持部材８の間には、該腰支持部材８の上下スライド移動を許容するのに十分な間隔が形成されているので、前記背凭れ部３及び座部２がどのような状態になっても腰支持部材８の下端が座部２の上面に接触した状態を維持するのである。
【００３３】
このように、前記背凭れ部３の下部に前記腰支持部材８が存在するので、着座者の腰部を受面４３で左右から包み込むように保持することができ、左右振れに対して安定に保持することができるのである。また、前記背支持部材７の受面３５でも左右から包み込むように支持するので、着座姿勢が安定し、特に体格の小さな子供でも左右振れがなく安定に着座することができるのである。
【図面の簡単な説明】
【００３４】
【図１】本発明に係る椅子の全体斜視図である。
【図２】同じく椅子の側面図である。
【図３】同じく背凭れ部を前方へ移動させた状態の椅子の側面図である。
【図４】背凭れ杆に腰支持部材を上下スライド可能に支持する構造を示す要部の分解斜視図である。
【図５】腰支持部材の支持部と圧縮コイルばねを下部カバー体に装着する手順を示した分解斜視図である。
【図６】本発明の要部を示し、背凭れ部が最も後方に位置する状態の部分断面図である。
【図７】同じく背凭れ部を前方へ移動させた状態の部分断面図である。
【図８】背支持部材を示し、（ａ）は平面図、（ｂ）は正面図である。
【図９】腰支持部材を示し、（ａ）は平面図、（ｂ）は正面図である。
【符号の説明】
【００３５】
１  脚部、              ２  座部、
３  背凭れ部、          ４  ガイド手段、
５  移動フレーム、      ６  背凭れ杆、
７  背支持部材、        ８  腰支持部材、
９  支持体、            １０  座板、
１１  ベース部材、      １２傾動部材、
１３  角度調節手段、    １４  枢支部、
１５  連結板、          １６  支持部、
１７  スリーブ、        １８  スリット溝、
１９  鍔部、            ２０  係合部、
２２  蛇腹カバー体、    ２３  下部カバー体、
２４  上部カバー体、    ２５  フランジ部、
２６  円筒部、          ２７  カバー部、
２８  スリット、        ２９  段部、
３０  ネジ、            ３１  閉塞部、
３２  弾性係合片、      ３３  ダボ、
３４  係合孔、          ３５  受面、
３６  芯材、            ３７  クッション体、
３８  連結金具、        ３９  取付片、
４０  取付孔、          ４１  通孔、
４２  長孔、            ４３  受面、
４４  芯材、            ４５  クッション体。
【図１】
2009273585.tif 000003
【図２】
2009273585.tif 000004
【図３】
2009273585.tif 000005
【図４】
2009273585.tif 000006
【図５】
2009273585.tif 000007
【図６】
2009273585.tif 000008
【図７】
2009273585.tif 000009
【図８】
2009273585.tif 000010
【図９】
2009273585.tif 000011